(57)【要約】      （修正有）【課題】簡単な構造のもとに、下方からの溢流によるグレーチング蓋の浮き上がりを防止するほか、取り外しを困難にして盗難を抑制するグレーチング蓋の設置構造及びそれらを用いたコンクリート蓋、側溝ブロックを提供する。【解決手段】嵩上材１ｂを固設したグレーチング蓋１を側溝ブロック２の蓋受部３に載設する型式のグレーチング蓋の設置構造であって、グレーチング蓋１の前位に設置するコンクリート蓋４の後端面４ａにインサート雌ねじ５を嵩上材１ｂの端面開口部１ｃに対応した位置に埋設するほか、グレーチング蓋１の後位に設置するコンクリート蓋４の前端面４ｂに、インサート雌ねじ５を嵩上材１ｂの端面開口部１ｃに対応した位置に埋設し、これらインサート雌ねじ５に対し係合突起を螺装により固設し、グレーチング蓋１とコンクリート蓋４とを嵩上材１ｂの開口部１ｃに係合突起９が挿入される状態に設置する。【選択図】図１
0003185754.tif 000002
【実用新案登録請求の範囲】
【請求項１】
本体（１ａ）の底部両側に嵩上材（１ｂ）を固設した金属製のグレーチング蓋（１）を採択し、このグレーチング蓋（１）を側溝ブロック（２）における上方開放部の蓋受部（３）に落とし蓋状態に載設する型式のグレーチング蓋の設置構造であって、グレーチング蓋（１）の前位に隣接して設置するコンクリート蓋（４）における後端面（４ａ）に、インサート雌ねじ（５）をグレーチング蓋（１）における嵩上材（１ｂ）の端面開口部（１ｃ）に対応した位置に埋設するほか、別にグレーチング蓋（１）の後位に隣接して設置するコンクリート蓋（４）における前端面（４ｂ）に、インサート雌ねじ（５）をグレーチング蓋（１）における嵩上材（１ｂ）の端面開口部（１ｃ）に対応した位置に埋設し、これらインサート雌ねじ（５）に対し先端に雄ねじ（８）がある係合突起（９）を螺装により固設し、グレーチング蓋（１）における嵩上材（１ｂ）の端面開口部（１ｃ）に係合突起（９）が挿入される状態に設置したことを特徴とするグレーチング蓋の設置構造。
【請求項２】
本体（１ａ）の底部両側に嵩上材（１ｂ）を固設した金属製のグレーチング蓋（１）を採択すると共に、側溝ブロック（２）として上部に梁部（６）と方形の開口部（７）と開口部両側の蓋受部（３）とがある梁付型を採択し、その開口部（７）にグレーチング蓋１とコンクリート蓋（４）とを落とし蓋状態に載設する型式のグレーチング蓋の設置構造であって、梁部（６）における後端面（６ａ）にインサート雌ねじ（５）をグレーチング蓋（１）における嵩上材（１ｂ）の端面開口部（１ｃ）に対応した位置に埋設するほか、別にグレーチング蓋（１）の後位に隣接して設置するコンクリート蓋（４）における前端面（４ｂ）に、インサート雌ねじ（５）をグレーチング蓋（１）における嵩上材（１ｂ）の端面開口部（１ｃ）に対応した位置に埋設し、これらインサート雌ねじ（５）に対し先端に雄ねじ（８）がある係合突起（９）を螺装により固設し、グレーチング蓋（１）における嵩上材（１ｂ）の開口部（１ｃ）に係合突起（９）が挿入される状態に設置したことを特徴とするグレーチング蓋の設置構造。
【請求項３】
グレーチング蓋（１）に対向する両コンクリート蓋（４）の端面もしくはグレーチング蓋（１）に対向するコンクリート蓋（４）と梁部（６）との端面に設ける係合突起（９）について、グレーチング蓋（１）の嵩上材（１ｂ）における端面開口部（１ｃ）の４箇所所中の対角２箇所に対応する位置に限定して設けた請求項１または請求項２に記載のグレーチング蓋の設置構造。
【請求項４】
コンクリート蓋（４）の後端面（４ａ）と前端面（４ｂ）との少なくとも一方にインサート雌ねじ（５）を埋設した請求項１ないし請求項３に記載のグレーチング蓋の設置構造に使用するコンクリート蓋。
【請求項５】
梁部（６）の後端面（６ａ）に、インサート雌ねじ（５）を埋設した請求項２または請求項３に記載のグレーチング蓋の設置構造に使用する側溝ブロック。
【考案の詳細な説明】
【技術分野】
【０００１】  本考案は排水用の側溝ブロックに設置する金属製のグレーチング蓋の盗難を抑制する設置構造に関し、詳しくはグレーチング蓋が容易に浮き上がりあるいは跳ね上がりがなく、またグレーチング蓋を持ち上げるだけでは外すことができないようにした盗難抑制用の設置構造およびその設置構造に使用するコンクリート蓋および側溝ブロックに関する。
【背景技術】
【０００２】  排水用の側溝ブロックに設置する金属製のグレーチング蓋は、側溝ブロックにおける上方開口部の蓋受部に落とし蓋状態に載設されるが、一般的には連設したコンクリート蓋の５〜１０ｍ間隔置きに配置される。なお浮き上がり防止あるいは盗難防止のため、グレーチング蓋をねじにより側溝ブロックもしくは側溝ブロックに固設した受枠に緊締し、あるいは金具により隣設のグレーチング蓋同士を結合することが多い。また隣設のコンクリート蓋の下方に延びる突起がある特殊な金具をグレーチング蓋の端部に取り付け、コンクリート蓋への突起の係合によりグレーチング蓋の浮き上がり防止あるいは盗難防止を行うようにした先行技術（特許文献１、特許文献２）がある。
【先行技術文献】
【特許文献】
【０００３】
【特許文献１】  特開２０１１−９９２３７公報
【特許文献２】  実用新案登録第３１７０７５９号公報
【考案の概要】
【考案が解決しようとする課題】
【０００４】  グレーチング蓋をねじにより側溝ブロックもしくは側溝ブロックに固設した受枠に緊締する構造は、構造が複雑かつ取り付け操作が煩雑であり、設置コストが高価となる欠点がある。また上記特許文献１および特許文献２に記載の技術についても、特殊な金具を用意し、しかも金具自体を強固に製作し、強固に取り付ける必要がある。【０００５】  そこで本考案の目的は、簡単な構造のもとに、下方からの溢流によるグレーチング蓋の浮き上がりを防止するばかりでなく、平易な作業によっては取り外しができないようにして盗難を抑制することができるグレーチング蓋の設置構造およびその設置構造に使用するコンクリート蓋および側溝ブロックを提供することにある。
【課題を解決するための手段】
【０００６】  上記目的を達成するため、請求項１の考案は、本体１ａの底部両側に嵩上材１ｂを固設した金属製のグレーチング蓋１を採択し、これを排水用の側溝ブロック２における上方開放部の蓋受部３に落とし蓋状態に載設する型式のグレーチング蓋の設置構造を適用対象とし、グレーチング蓋１の前位に隣接して設置するコンクリート蓋４における後端面４ａに、前後方向軸線のインサート雌ねじ５をグレーチング蓋１における嵩上材１ｂの端面開口部１ｃに対応した位置に埋設するほか、別にグレーチング蓋１の後位に隣接して設置するコンクリート蓋４における前端面４ｂに、前後方向軸線のインサート雌ねじ５をグレーチング蓋１における嵩上材１ｂの端面開口部１ｃに対応した位置に埋設し、これらインサート雌ねじ５に対し先端に雄ねじ８がある係合突起９を螺装により固設し、グレーチング蓋１における嵩上材１ｂの端面開口部１ｃに係合突起９が挿入される状態に設置したことを特徴とするグレーチング蓋の設置構造である。【０００７】  請求項２の考案は、上部に梁部５と方形の開口部６と開口部両側の蓋受部３とがある梁付型の側溝ブロックを採択し、その開口部６にグレーチング蓋１とコンクリート蓋４とを落とし蓋状態に載設する型式のグレーチング蓋の設置構造を適用対象とし、グレーチング蓋１の端面に対する梁部６の後端面６ａに前後方向軸線のインサート雌ねじ５をグレーチング蓋１における嵩上材１ｂの端面開口部１ｃに対応した位置に埋設するほか、別にグレーチング蓋１の後位に隣接して設置するコンクリート蓋４における前端面４ｂに、前後方向軸線のインサート雌ねじ５をグレーチング蓋１における嵩上材１ｂの端面開口部１ｃに対応した位置に埋設し、これらインサート雌ねじ５に対し先端に雄ねじ８がある係合突起９を螺装により固設し、グレーチング蓋１における嵩上材１ｂの端面開口部１ｃに係合突起９が挿入される状態に設置したことを特徴とするグレーチング蓋の設置構造である。【０００８】  請求項３の考案は、グレーチング蓋１に隣接して設置する両コンクリート蓋４の後端面４ａおよび前端面４ｂに設ける係合突起９について、もしくはグレーチング蓋１に隣接する梁部６の後端面６ａとコンクリート蓋４の前端面４ｂに設ける係合突起９について、グレーチング蓋１の嵩上材１ｂにおける端面開口部１ｃの４箇所中の対角２箇所に対応する位置に限定して設けた請求項１または請求項２に記載のグレーチング蓋の設置構造である。【０００９】  請求項４の考案は、コンクリート蓋４の後端面４ａと前端面４ｂとの少なくとも一方にインサート雌ねじ５を埋設した請求項１ないし請求項３に記載のグレーチング蓋の設置構造に使用するコンクリート蓋である。【００１０】  請求項５の考案は、梁部６の後端面６ａに、インサート雌ねじ５を埋設した請求項２または請求項３に記載のグレーチング蓋の設置構造に使用する側溝ブロックである。
【考案の効果】
【００１１】  請求項１または請求項２の考案によれば、グレーチング蓋１の端面に対接するコンクリート蓋４または梁部６にインサート雌ねじ５を埋設すると共に、このインサート雌ねじ５に係合突起９を螺装し、グレーチング蓋１における嵩上材１ｂの端面開口部１ｃに係合突起９が挿入される状態に設置するようにしたから、簡単な構造のもとに、下方からの溢流によるグレーチング蓋１の浮き上がりを防止するばかりでなく、コンクリート蓋４を複数個外した後でないとグレーチング蓋１の取り外しができない等、平易な作業によっては取り外しができないようにして盗難を効果的に抑制することができる。また設置に先立ってコンクリート蓋４に係合突起９を装着すると、運搬並びに取り扱い上便利である。【００１２】  グレーチング蓋１における嵩上材１ｂとして、角パイプを採択した場合、あるいはチャンネル型材を外側開放状態に固設した場合、設置されている状態では係合突起９は嵩上材１ｂに隠蔽されて外部から視認することができないばかりでなく、取り外し操作ができない関係上、盗難抑制効果が顕著である。【００１３】  請求項３の考案によれば、嵩上材１ｂと係合突起９との係合箇所をグレーチング蓋１の対角２箇所に対応する位置に限定して設けたから、製造コスト並びに設置作業コストが安価で済む利点がある。【００１４】  請求項１，請求項２および請求項３の考案によれば、グレーチング蓋１における嵩上材１ｂの端面開口部１ｃが、突起との係合に好都合であることを利用してグレーチング蓋１に対向設置するコンクリート蓋４または梁部６に係合突起９を螺装して設けるようにしたから、既存のグレーチング蓋１を使用することができるばかりでなく、係合突起９についても特殊な形状の部材を採択することなく、簡単な構造のもとに製造コストを低廉化することができる。【００１５】  請求項４および請求項５の考案によれば、インサート雌ねじ５をコンクリート蓋４または側溝ブロック２に埋設し、グレーチング蓋１を設置する場合に限り必要箇所に係合突起９を装着するようにしたから、通常において係合突起９による突出部分がない状態で保管あるいは取り扱うことができ、好都合である。
【図面の簡単な説明】
【００１６】
【図１】  本考案の第１実施形態におけるグレーチング蓋の設置構造を示す設置過程の部分的破断斜視図である。
【図２】  図１の設置構造を示す設置後の要部の縦断側面図である。
【図３】  本考案の第２実施形態におけるグレーチング蓋の設置構造を示す設置過程の部分的破断斜視図である。
【考案を実施するための形態】
【００１７】  本考案の適用対象としてのグレーチング蓋の設置構造としては、例えば図１および図２のように、格子板状の本体１ａの底部両側に角パイプ等の嵩上材１ｂを溶接等により固設した金属製のグレーチング蓋１を採択し、これを排水用の側溝ブロック２における上方開放部の蓋受部３に落とし蓋状態に載設する型式を採択する。なお、グレーチング蓋１の本体１ａは格子板状に限らず、多孔板状あるいは透水性板状等が採用でき、また嵩上材１ｂとしても、角パイプに限らず断面がコ字状のチャンネル型材あるいは断面が角形Ｃ字状の所謂Ｃチャンネル型材が採用できる。
【００１８】  前記側溝ブロック２に対する本考案の第１実施形態におけるグレーチング蓋１の設置構造としては、図１および図２のように、グレーチング蓋１の前位に隣接して設置するコンクリート蓋４における下端寄りかつ両側端寄りに前後（長手）方向軸線のインサート雌ねじ５を埋設するほか、別にグレーチング蓋１の後位に隣接して設置するコンクリート蓋４における前端面４ｂの下端寄りかつ両側端寄りに前後（長手）方向軸線のインサート雌ねじ５を埋設する。これらインサート雌ねじ５はグレーチング蓋１の嵩上材１ｂにおける長手方向の端面開口部１ｃに対応した位置に設ける。
【００１９】  グレーチング蓋１およびコンクリート蓋４の設置に当たっては、グレーチング蓋１の前位に設置するコンクリート蓋４における後端面４ａのインサート雌ねじ５に対し、先端に雄ねじ８がある係合突起９をその雄ねじ８の螺装により後方へ突出する状態に固設し、このコンクリート蓋４を側溝ブロック２の蓋受段３に落とし蓋状態に載設した後、その係合突起９が嵩上材１ｂの開口部１ｃに挿入されるように後方からグレーチング蓋１をスライドさせて当接状態に設置する。
【００２０】  次いで、グレーチング蓋１の後位に設置するコンクリート蓋４における前端面４ｂのインサート雌ねじ５に、先端に雄ねじ８がある係合突起９をその雄ねじ８の螺装により前方へ突出する状態に固設し、このコンクリート蓋４を側溝ブロック２の蓋受部３に落とし蓋状態に載設した後、その係合突起９がグレーチング蓋１における嵩上材１ｂの端面開口部１ｃに挿入されるように前方へスライドさせて当接状態に設置する。
【００２１】  設置されたグレーチング蓋１の嵩上材１ｂにはコンクリート蓋４の係合突起９が前後両部分において挿入された係合状態であるから、グレーチング蓋１を外そうとしても係合突起９による係止作用により僅かに上方へ動くことはあっても外れることがなく、従って側溝２の溢流による浮き上がりあるいは盗難を効果的に抑制することができる。
【００２２】  本考案の第２実施形態におけるグレーチング蓋の設置構造としては、図３のように、グレーチング蓋１の設置対象の側溝ブロック２が、上部に梁部６と方形の開口部７と開口部両側の蓋受部３とがある梁付型の側溝ブロック２の場合、梁部６における後端面６ａの下端寄りかつ両側端寄りに前後（長手）方向軸線のインサート雌ねじ５を埋設し、かつ別にグレーチング蓋１の後位に隣接して設置するコンクリート蓋４における前端面４ｂの下端寄りかつ両側端寄りに前後（長手）方向軸線のインサート雌ねじ５を埋設する。これらインサート雌ねじ５はグレーチング蓋１における嵩上材１ｂの開口部１ｃに対応した位置に設ける。
【００２３】  グレーチング蓋１およびコンクリート蓋４の設置に当たっては、梁部６におけるインサート雌ねじ５に対し、先端に雄ねじ８がある係合突起９をその雄ねじ８の螺装により後方へ突出する状態に固設した後、開口部７の蓋受部３にグレーチング蓋１を載置したまま梁部６の方向へスライドし、梁部６における係合突起９が嵩上材１ｂの端面開口部１ｃに挿入されるように当接状態に設置し、更にグレーチング蓋１の後方には、前記第１実施形態におけると同様に、前端面４ｂに係合突起９を突出状態に固設したコンクリート蓋４を側溝ブロック２の蓋受段３に落とし蓋状態に載置した後、グレーチング蓋１の方向へスライドさせて係合突起９が嵩上材１ｂの開口部１ｃに挿入されるように当接状態に設置する。
【００２４】  設置されたグレーチング蓋１における嵩上材１ｂには、その前後両開口部１ｃにおいて係合突起９が挿入された係合状態となるから、グレーチング蓋１を外そうとしても係合突起９による係止作用により僅かに上方へ動くことはあっても外れることがなく、従って側溝２の溢流による浮き上がりあるいは盗難を効果的に抑制することができる。
【００２５】  上記第１の実施形態においては、グレーチング蓋１に係合する係合突起９は合計４箇所であるが、グレーチング蓋１の対角２箇所に対応する位置に限定して設けてもよく、また第２の実施形態においても、グレーチング蓋１に対向して設ける係合突起９は合計４箇所であるが、グレーチング蓋１の対角２箇所に対応する位置に限定して設けてもよい。なお係合突起９としてはボルトが望ましい。
【符号の説明】
【００２６】１    グレーチング蓋
１ａ  本体
１ｂ  嵩上材
１ｃ  端面開口部
２    側溝ブロック
３    蓋受部
４    コンクリート蓋
４ａ  後端面
４ｂ  前端面
５    インサート雌ねじ
６    梁部
６ａ  後端面
７    開口部
８    雄ねじ
９    係合突起
【図１】
0003185754.tif 000003
【図２】
0003185754.tif 000004
【図３】
0003185754.tif 000005
【手続補正書】
【提出日】平成25年6月14日(2013.6.14)
【手続補正１】
【補正対象書類名】実用新案登録請求の範囲
【補正対象項目名】請求項４
【補正方法】変更
【補正の内容】
【請求項４】
コンクリート蓋（４）の後端面（４ａ）と前端面（４ｂ）との少なくとも一方にインサート雌ねじ（５）を埋設した請求項１ないし請求項３のいずれか一項に記載のグレーチング蓋の設置構造に使用するコンクリート蓋。